(57)【要約】【課題】簡易な構成で、波長数変動が生じても正常に信号光受信を行なう。【解決手段】波長多重光伝送システムにおける波長分離された光を受信する光受信装置であって、入力される光のレベルを調整して出力する光レベル調整部２と、光レベル調整部２から出力された光を受光する受光部３と、をそなえ、かつ、受信波長が長波長帯域に比べて短波長帯域のほうが相対的に受光部３へ出力する光のレベルが小さくなるように、光レベル調整部２での光レベル調整量が設定される。【選択図】図１
2008236026.tif 000002
【特許請求の範囲】
【請求項１】
波長多重光伝送システムにおける波長分離された光を受信する光受信装置であって、
入力される光のレベルを調整して出力する光レベル調整部と、
該光レベル調整部から出力された光を受光する受光部と、をそなえ、
かつ、受信波長が長波長帯域に比べて短波長帯域のほうが相対的に該受光部へ出力する光のレベルが小さくなるように、該光レベル調整部での光レベル調整量が設定されたことを特徴とする、光受信装置。
【請求項２】
該波長多重光伝送システムには、波長多重光の波長ごとの分岐／挿入を行なう光分岐挿入ノードがそなえられ、該光受信装置は、前記光分岐挿入ノードで分岐された波長の光を受信するように構成されたことを特徴とする、請求項１記載の光受信装置。
【請求項３】
前記受信波長が長波長帯域に比べて短波長帯域のほうが相対的に該光レベル調整部から該受光部へ出力する光のレベルが小さくなるように、該光レベル調整部を設定制御する設定制御部をそなえたことを特徴とする、請求項１記載の光受信装置。
【請求項４】
該設定制御部は、
受信する光の波長に関する情報を取得する受信波長情報取得部と、
該受信波長情報取得部で取得した前記情報に応じて、該光レベル調整部から該受光部へ出力する光レベルを決定する光レベル決定部と、
該光レベル決定部で決定された前記光レベルを該受光部へ出力する光の設定レベルとする設定信号を該光レベル調整部へ出力する設定信号出力部と、をそなえたことを特徴とする、請求項３記載の光受信装置。
【請求項５】
波長多重光伝送システムにおける波長分離された光を入力され、前記入力された光のレベルを調整して出力する光レベル調整部と、該光レベル調整部から出力された光を受光する受光部と、をそなえた光受信装置の光レベル調整量設定方法であって、
受信する光の波長に関する情報を取得し、
前記取得した情報に基づき、受信波長が長波長帯域に比べて短波長帯域のほうが相対的に該受光部へ出力する光のレベルが小さくなるように、該光レベル調整部での光レベル調整量を設定することを特徴とする、光受信装置の光レベル調整量設定方法。
【発明の詳細な説明】
【技術分野】
【０００１】
本発明は、波長多重光伝送システムにおいて用いて好適の、光受信装置およびその光レベル調整量設定方法に関するものである。
【背景技術】
【０００２】
近年、ＷＤＭ（Wavelength Division Multiplex）光伝送システムの一例として、地方の拠点都市間を結ぶ、任意のノードで任意波長の光信号を挿抜（アド／ドロップ）可能なメトロコアシステムが注目されている。図１３はメトロコアシステムの構成例を示すブロック図で、この図１３に示すシステムは、複数のＯＡＤＭ（Optical Add-Drop Multiplexer）ノード１００がそれぞれ伝送路（光ファイバ）４００を介してリング状に接続されて、各ＯＡＤＭノード１００で、それぞれ、任意波長（チャンネル）の信号光を伝送路４００へ挿入（アド）したり、伝送路４００を伝送されるＷＤＭ信号光のうち任意波長の信号光を分岐（ドロップ）したりすることができるようになっている。また、各ＯＡＤＭノード１００の前後段にはそれぞれ光増幅器（プリアンプ２００及びポストアンプ３００）が適宜設けられて、ＯＡＤＭノード（以下、単に「ノード」ともいう）１００間の信号光レベルの損失を補償して伝送距離の長距離化が図られている。
【０００３】
さらに、このように任意のノード１００で信号光をアド／ドロップするシステムでは、システム中（伝送路４００）を伝送する信号波長数（以下、伝送波長数ともいう）が動的に変化するため、この波長数変動に対して、各波長（チャンネル）の出力光パワーを一定に保持（波長に対する利得平坦性を維持）するために、通常、上記アンプ２００，３００には、利得一定制御（ＡＧＣ）機能を有するＡＧＣアンプが適用される。
【０００４】
ここで、ＡＧＣアンプは、例えば図１４に示すように、光増幅器（ＥＤＦＡ）２００（３００）の入出力光の一部をそれぞれ光カプラ等の光分岐手段５０１，５０２によって分岐してＰＤ６０１，６０２によりそれぞれのパワー〔つまり、光増幅器２００（３００）の入出力光パワー〕をモニタし、そのパワー比が一定となるようにＥＤＦＡ２００（３００）への励起光パワーを利得一定制御部７００によって制御するように構成される。
【０００５】
さて、このようなシステムにおいて、例えば図１５（Ａ）に示すように、あるノード１００（１００Ａ）から多数（例えば、３９波長）の光信号がアドされ、次のノード１００（１００Ｂ）から別の１波の光信号がアドされる状況を考える。このような状況で例えば図１５（Ｂ）に示すごとくノード１００Ａ，１００Ｂ間に、光伝送パスのダイナミックな再構築や人為的ミス、ファイバ切断、コネクタ抜けなどの障害が発生した場合、ノード１００Ｂでアドされた信号光のみが残留する（つまり、伝送波長数が急激に変化する）ことになる。
【０００６】
このように伝送波長数が急激に変化すると、例えば図１６（Ａ）に示すごとく、信号受信端における残留光信号のパワーレベルが変化する現象が発生する。
なお、上記「信号受信端」とは、例えば図２２に示すように、ドロップ光を受光して電気信号に変換する光／電気変換（Ｏ／Ｅ）機能を具備する光受信器１０１を意味し、以下の説明においても同様である。また、「信号送信端」とは、送信信号（電気信号）を所定波長のアド光にて送信する電気／光変換機能（Ｅ／Ｏ）を具備する光送信器１０２を意味する。
【０００７】
ここで、上記信号光パワー変化には、例えば図１６（Ｂ）に示すように、主に３つの要因、即ち、（１）スペクトラルホールバーニング（ＳＨＢ），（２）利得（波長）偏差及び（３）誘導ラマン散乱（ＳＲＳ：Stimulated Raman Scattering）効果によるものがある。以下それぞれについて説明する。
（１）ＳＨＢ
１つ目の要因であるＳＨＢは、光増幅器２００（３００）で生じる現象で、短波長側の光信号パワーが低下するという特徴がある。即ち、例えば図１７に示すごとく、光増幅器２００（３００）でＣバンド（１５３０〜１５６５ｎｍ）の１波（例えば、１５３８ｎｍ）の光信号を増幅すると、その信号波長近辺のＥＤＦＡ利得が低下する（これをメインホールと呼ぶ）とともに、１５３０ｎｍ付近のＥＤＦＡ利得も低下する（これをセカンドホールと呼ぶ）という現象が生じる。
【０００８】
そして、Ｃバンド内ではメインホールは短波長側ほど深く（利得低下量が大きく）、また、光信号入力パワー高いほどメインホール及びセカンドホールともに深くなるという特徴をもつ。かかるＳＨＢは、多波長の信号光が入力されている状態では平均化されるためその影響は小さいが、入力波長数が少なくなるほどその影響が大きくなる。そのため、上述のごとくノード１００Ａ，１００Ｂ間で障害が発生したために１波長の信号光のみが残留した場合、図１６（Ｂ）中の（１）欄及び図１８（Ａ）に示すように、光増幅器２００（３００）の利得が短波長側の残留信号光ほど低下し、これに伴って出力光パワーも低下（−ΔＰ）するという現象が発生する。
【０００９】
（２）利得偏差
２つ目の要因である利得（波長）偏差も光増幅器２００（３００）で生じる現象である。即ち、光増幅器２００（３００）は、上述したように信号光の平均利得を一定に保つ制御（ＡＧＣ）を行なっており、偏差の生じている波長が残留すると、その信号光の利得を目標利得に合わせるよう動作するため、例えば図１６（Ｂ）中の（２）欄に示すように、残留光信号の出力光パワーに変化（この場合は＋ΔＰ）が生じるのである。
【００１０】
（３）ＳＲＳ効果
３つ目の要因であるＳＲＳ効果は、伝送路４００で生じる現象である。このＳＲＳ効果を利用した光増幅器がラマン増幅器である。一般的なシングルモードファイバのＳＲＳは例えば図１９に示すごとく、励起光波長から約１３ＴＨｚ低周波側（励起光波長が１４００ｎｍ付近にある場合は約１００ｎｍ長波長側）に利得ピークを有するという特徴があるため、励起光波長を選ぶことで任意波長帯域の光信号増幅が可能になる。ただし、この図１９に示されるように、ピンポイント波長での増幅が可能なわけではなく、その増幅（利得）特性には波長に対して或る程度の広がりがあるため、励起光波長付近でも増幅現象が発生する。
【００１１】
つまり、ＷＤＭ光信号が伝送路４００を伝送される場合には、短波長側の信号光パワーが励起光パワーとなり、長波長側の信号光を増幅する。結果として図２０に示すごとく長波長側ほど信号光パワーが大きくなるという現象が発生するのである。このため、上述のごとくノード１００Ａ，１００Ｂ間で障害が発生したために１波長の信号光のみが残留した場合、図１６（Ｂ）中の（３）欄及び図１８（Ｂ）に示すように、長波長側の残留信号光ほど短波長側からパワーを奪うことができなくなりパワー（利得）低下（−ΔＰ）が生じる。
【００１２】
このように、伝送路４００を伝送されるＷＤＭ信号光の波長数が大きく変動すると、主にＳＨＢ，利得偏差及びＳＲＳの主に３つの要因によって、残留信号光（残留チャンネル）の出力光パワーが変化する。ＯＡＤＭノード１００内においては、フィードバック制御により各波長の信号光のレベルを調整する機能をそなえることができ、このようなフィードバック制御によって上述の信号光波長数および配置の変動による出力光パワーの変化に対応することもできる。
【００１３】
しかしながら、このような各波長対応のフィードバック制御は、通常は図１６（Ａ）に例示するように、波長数が変動してから（時点ｔ０）、定常的に機能するまでに（時間ｔ２参照）相当の時間を要する。従って、図１６（Ａ）における時間ｔ１に示すような、波長数が変動した後の過渡的な出力光パワーの変動についてまでは抑制させることは事実上困難である。
【００１４】
そして、このような出力光レベルの過渡的な変動は、各ノード１００、各伝送路４００あたりの変化量はそれほど大きくなくても、同様のＡＧＣを行なう光増幅器１０２および伝送路４００を多段に設けたシステムでは、一つの光増幅部１０２および伝送路４００で生じるパワー変動の特性が累積する。
例えば図２１（Ａ）に示すように、波長数変動前においては、各ノード１００配下の信号受信端（図２２の光受信器１０１参照）での受信レベルは、スパン数が増大したとしても正常な範囲（受信許容範囲）にある。即ち、前述の図１５（Ａ）に示すように、ノード１００Ａで３９波を、ノード１００Ｂで１波を、それぞれアドするとともに、信号受信端でノード１００Ａ，１００Ｂからの合計４０波の光を受信する場合において、図１５（Ｂ）に示すような障害が発生していない通常時においては、図１５（Ａ）中スパン♯１〜♯５間にそなえられるいずれのノード１００の配下に信号受信端を設けたとしても、信号受信端では受信光パワー変化の累積はなく、安定的な光受信を行なうことができる。
【００１５】
ところが、図１５（Ｂ）に示すような波長数変動が生じると、図２１（Ｂ）に示すように、各光増幅器２００，３００及び伝送路４００で生じるチャンネルあたりの光パワー変化（ΔＰ）が、スパン数の増大、即ち通過する光増幅器の段数の増大によって累積されていく。即ち、経由するスパン♯１〜♯５の数が増大する箇所のノード１００の配下に信号受信端をそなえる場合ほど、ノード１００Ａ，１００Ｂ間の波長数変動の影響による受信光パワー変化が大きくなる。この図２１（Ｂ）の例においては、負側の受信光パワー変動がスパン数の増大によって大きくなることを示している。
【００１６】
伝送距離が短く、光増幅器の段数が少ない従来の光伝送システムではこの変動は微小であり問題とならなかったが、今後、システムの長距離化に伴う光増幅器段数の増加が進むと、この図２１（Ｂ）に示すように、信号受信端での各波長（チャネル）の光信号パワーのいずれか、または複数が受信許容範囲に収まらずに、伝送エラーが生じる可能性がある。換言すれば、それぞれＯＡＤＭ機能を有する複数のノード１００で中継伝送される波長多重光伝送システムにおいて、１箇所の伝送路区間での障害の発生により他の伝送路区間の通信に影響を及ぼす場合があるのである。
【００１７】
したがって、伝送距離の増加が進む今後の動向を踏まえると、上述のごとき光パワー変動が生じても安定的な光受信を実現することが求められている。
なお、本願発明に関連する技術としては例えば特許文献１〜３に記載されたものがある。
特許文献１には、波長ごとに分離された光信号レベルを光検出器で検出して、検出した光信号レベルが高い場合ほど対応する波長の光信号レベルを減衰させる機能を有する光波長分離装置について開示する。
【００１８】
また、特許文献２には、ＷＤＭチャンネルを同時に増幅するアンプとＷＤＭを整形する手段とによりＳＲＳの劣化を軽減する技術について記載されている。
さらに、特許文献３には、中継段の伝送装置においてＳＲＳやＳＨＢによる信号光レベルの過渡変動を抑圧する制御を行なう技術について記載されている。
【特許文献１】特開２００３−１９８４７８号公報
【特許文献２】特開平９−８７３０号公報
【特許文献３】特開２００６−２９５１１３号公報
【発明の開示】
【発明が解決しようとする課題】
【００１９】
しかしながら、上述の特許文献１〜３に記載された技術においては、いずれも、信号受信端において、上述のごとき波長数変動による受信光レベルの変動要因が伝送経路に発生していたとしても、エラーフリーで光受信を行なう構成についてまでは記載されていない。
そこで、本発明の目的の一つは、簡易な構成で、波長数変動が生じても正常に信号光受信を行なうことができるようにすることにある。
【００２０】
なお、上記目的に限らず、後述する発明を実施するための最良の形態に示す各構成により導かれる効果であって、従来の技術によっては得られない効果を奏することも本発明の他の目的の１つとして位置づけることができる。
【課題を解決するための手段】
【００２１】
このため、本発明は、以下の光受信装置およびその光レベル調整量設定方法を特徴とするものである。
（１）すなわち、本発明の光受信装置は、波長多重光伝送システムにおける波長分離された光を受信する光受信装置であって、入力される光のレベルを調整して出力する光レベル調整部と、該光レベル調整部から出力された光を受光する受光部と、をそなえ、かつ、受信波長が長波長帯域に比べて短波長帯域のほうが相対的に該受光部へ出力する光のレベルが小さくなるように、該光レベル調整部での光レベル調整量が設定されたことを特徴としている。
【００２２】
（２）また、（１）において、該波長多重光伝送システムには、波長多重光の波長ごとの分岐／挿入を行なう光分岐挿入ノードがそなえられ、該光受信装置は、前記光分岐挿入ノードで分岐された波長の光を受信するように構成することができる。
（３）さらに、（１）において、前記受信波長が長波長帯域に比べて短波長帯域のほうが相対的に該光レベル調整部から該受光部へ出力する光のレベルが小さくなるように、該光レベル調整部を設定制御する設定制御部をそなえることができる。
【００２３】
（４）この場合においては、該設定制御部は、受信する光の波長に関する情報を取得する受信波長情報取得部と、該受信波長情報取得部で取得した前記情報に応じて、該光レベル調整部から該受光部へ出力する光レベルを決定する光レベル決定部と、該光レベル決定部で決定された前記光レベルを該受光部へ出力する光の設定レベルとする設定信号を該光レベル調整部へ出力する設定信号出力部と、をそなえることとしてもよい。
【００２４】
（５）また、本発明の光受信装置の光レベル調整量設定方法は、波長多重光伝送システムにおける波長分離された光を入力され、前記入力された光のレベルを調整して出力する光レベル調整部と、該光レベル調整部から出力された光を受光する受光部と、をそなえた光受信装置の光レベル調整量設定方法であって、受信する光の波長に関する情報を取得し、前記取得した情報に基づき、受信波長が長波長帯域に比べて短波長帯域のほうが相対的に該受光部へ出力する光のレベルが小さくなるように、該光レベル調整部での光レベル調整量を設定することを特徴としている。
【発明の効果】
【００２５】
このように、本発明によれば、光レベル調整部により、受信波長が長波長帯域に比べて短波長帯域のほうが相対的に受光部へ出力する光のレベルが小さくなるようにすることができるので、波長数変動が生じたとしても受光部に入力される光のパワーを受光許容範囲に収めることができ、正常かつ安定的に信号光受信を行なうことができる利点がある。
【発明を実施するための最良の形態】
【００２６】
以下、図面を参照することにより、本発明の実施の形態について説明する。
なお、本発明は、以下の実施の形態に限定されるものではない。又、上述の本願発明の目的のほか、他の技術的課題，その技術的課題を解決する手段及び作用効果についても、以下の実施の形態による開示によって明らかとなる。
〔Ａ〕第１実施形態の説明
図１は本発明の第１実施形態にかかる光受信装置１を示す図である。この図１に示す光受信装置１は、例えば前述の図１３に示すものと同様のメトロコアシステムとしての波長多重光伝送システムにおいて、ＯＡＤＭノード（光分岐挿入ノード）１００で波長分離された光を受信するものである。例えば、前述の図２２に示す信号受信端としての光受信器１０１のごとく、ＯＡＤＭノード１００でドロップされた波長単位の光信号について受信するものである。換言すれば、第１実施形態の光受信装置１は図２２に示す光受信器１０１として構成することができるものである。
【００２７】
なお、ＯＡＤＭノード１００において、そのＯＡＤＭ機能でドロップされた波長単位の光信号について波長多重して単一の光ファイバ伝送路を通じて送出する場合においては、図２に示すような受信ノード１１０において当該波長多重されたドロップ光を受信することができる。受信ノード１１０は、伝送可能な波長チャンネル数に対応した分波分解能を有する分波部１１、および信号受信端として第１実施形態にかかる光受信装置１の構成を適用できる光受信器１０１をそなえている。尚、図２に示す受信ノード１１０においては、光受信器１０１としては、伝送可能な波長チャンネル数に対応した個数をそなえることができるが、少なくともドロップ波長として運用している波長数分の光受信器１０１がそなえられていればよい。
【００２８】
ここで、第1実施形態における光受信装置１は、図１に示すように、入力される光のレベルを調整して出力する光レベル調整部２と、光レベル調整部２から出力された光を受光する受光部３と、をそなえている。そして、光レベル調整部２での光レベル調整量は、光受信装置１が受信する波長（受信波長）が長波長帯域に比べて短波長帯域のほうが相対的に受光部３へ出力する光のレベルが小さくなるよう設定されるようになっている。
【００２９】
すなわち、光レベル調整部２は、当該光受信装置１で受信することとなる光の波長、即ち入力される光の波長に対応した出力レベルが得られるように、入力光レベルを調整する。例えば、光受信器１０１（図２２又は図２参照）として短波長信号光［波長λａ］を受信するように設定される場合には、光レベル調整部２では、出力光パワーが受光部３での受信許容範囲内である光パワーＰ１となるように調整する。一方、光受信器１０１として長波長信号光［波長λｂ（＞λａ）］を受信するように設定される場合には、光レベル調整部２では、出力光パワーが受光部３での受信許容範囲内であるが光パワーＰ１よりも大きい光パワーＰ２となるように調整する。
【００３０】
たとえば、伝送波長帯域としてＣ（Conventional）バンドを適用し、受信波長としてλａ＝１５３０ｎｍのドロップ光を受信する光受信器１０１として光受信装置１を構成する場合においては、光レベル調整部２としては入力されるドロップ光のパワーについて、受光部３へ出力する光レベルＰ１が例えば−１５ｄＢｍとなるように調整する。一方、受信波長としてλｂ＝１５６０ｎｍのドロップ光を受信する光受信器１０１として光受信装置１を構成する場合においては、光レベル調整部２としては入力されるドロップ光のパワーについて、受光部３へ出力する光レベルＰ２が例えば−１０ｄＢｍ（＞Ｐ１）となるように調整する。
【００３１】
なお、光レベル調整部２に入力される光のパワーが既知の場合においては、光レベル調整部２としては、光受信装置１において予定する受信波長に応じた出力パワーを得るための固定的な損失量の損失媒体として構成したり、減衰量固定の減衰器として構成したり、入力波長に対して固定的な利得を有する光アンプとして構成したりすることができる。
このように構成された光受信装置１においては、波長数変動により、過渡的にドロップ光波長について、前述した伝送路４００（図１３参照）や光アンプ２００，３００で利得が変動している場合においても、光レベル調整部２での光レベル調整により、受光部３においては受光許容範囲内で正常に受光することができるので、伝送エラーの発生を抑制させることができる。
【００３２】
ところで、上述ごとく光レベル調整部２での光レベル調整量を、光受信装置１が受信する波長（受信波長）が長波長帯域に比べて短波長帯域のほうが相対的に（又は受信波長が短波長であるほど）受光部３へ出力する光のレベルが小さくなるよう設定することで、伝送エラーの発生を抑制できることについて、前述の利得変動の契機となる波長数変動の態様に応じて以下に説明する。
【００３３】
ここで、波長数変動の態様としては、波長数変動後の残存波長が短波長側波長となる場合、中心波長帯の波長となる場合、長波長側波長となる場合、および短波長側と長波長側とに分かれて分布する場合等の態様を想定することができる。残存波長が短波長側波長となる場合、例えば伝送可能な波長帯域の全波長が伝送されているときに短波長の１波が残存する場合においては、図３の波長条件♯１に示すように、該当短波長の光はＳＲＳおよびＳＨＢの影響による利得変動を受けやすくなり、そのパワー変動方向はプラス側に比較的大きくなる。
【００３４】
この場合においては、図４（Ａ）における左側の波長条件（ａ）に示すように、全波長の光が伝送されているときの波長数変動により短波長側波長が残存する場合には、当該短波長側波長の光の利得がＳＲＳおよびＳＨＢの影響で増大し、光レベルとしてはプラス方向に変動する。従って、図４（Ａ）の右側に示すように、このような波長数変動が生じた箇所の下流側伝送路にそなえられたノード装置の配下の光受信器１０１においては、経由するスパン数の増大に伴って光レベルが大きくなり、経由するスパン数によっては受光部３での受信許容範囲を上回ることになり（Ｒ１１参照）、受光部３の耐用性向上に支障を来たす。
【００３５】
これに対して、残存波長が長波長側波長となる場合、例えば伝送可能な波長帯域の全波長が伝送されているときに長波長の１波が残存する場合においては、図３の波長条件♯３に示すように、該当短波長の光はＳＲＳの影響による利得変動を受けやすくなり、そのパワー変動方向はマイナス側に比較的大きくなる。
この場合においては、図４（Ｂ）における左側の波長条件（ｂ）に示すように、全波長の光が伝送されているときの波長数変動により長波長側波長が残存する場合には、当該長波長側波長の光の利得がＳＲＳの影響を支配的に受けて増大し、光レベルとしてはマイナス方向に変動する。従って、図４（Ｂ）の右側に示すように、このような波長数変動が生じた箇所の下流側伝送路にそなえられたノード装置の配下の光受信器１０１においては、経由するスパン数の増大に伴って光レベルが小さくなり、経由するスパン数によっては受光部３での受信許容範囲を下回ることになり（Ｒ２１参照）、受信信号の品質向上に支障を来たす。
【００３６】
なお、残存波長が中心波長帯の波長となる場合、および短波長側と長波長側とに分かれて分布する場合には、図３の波長条件♯２，♯４に示すように、利得変動分は比較的小さくなる。
このように、残存波長の光パワーが大きくなる波長変動態様においては残存する波長は短波長側波長であり、光パワーが小さくなる波長変動態様においては残存する波長は長波長側波長である。即ち、光受信器１０１においては、短波長側波長の光を受信するものについては、波長数変動が生じると受光部３に入力される光のパワーが受光許容範囲を上回ることを想定する必要性が比較的大きい一方、長波長側波長の光を受信するものについては、波長数変動が生じると受光部３に入力される光のパワーが受光許容範囲を下回ることを想定する必要性が比較的大きい。尚、中心波長帯の光が残存する場合、短波長および長波長が分布して残存する場合には、光レベル変動は比較的小さいので、経由するスパン数が増大しても受光許容範囲を外れることを想定する必要性は比較的小さくなる。
【００３７】
そこで、第１実施形態における光受信装置１においては、例えば図５（Ａ）に示すように、短波長側波長λａの光を受信するものについては、光レベル調整部２において出力パワーをＰ１（＜Ｐ２）となるように調整して、受光部３に入力される光のパワーを波長数変動が生じたとしても受光部３に入力される光のパワーを受光許容範囲に収めることができるようにしている。即ち、短波長信号光λａを受信する光受信装置１においては、この図５（Ａ）に示すように、光レベル調整部２での出力パワーを、受光部３での受光許容上限から所定のレベル（「システム設計値」）だけ低いレベルＰ１となるように設定して、伝送波長数の変動により利得が増大しても、受光部３で受光許容上限に収まるようにしているのである。換言すれば、経由するスパン数が増大して光パワー変動が累積することを想定しても、光受信装置１の受光部３では受光許容範囲に収めることができるようになる（図４（Ａ）のＲ１２参照）。
【００３８】
同様に、例えば図５（Ｂ）に示すように、長波長側波長λｂの光を受信する光受信装置１においては、光レベル調整部２において出力パワーをＰ２（＜Ｐ１）となるように調整して、受光部３に入力される光のパワーを波長数変動が生じたとしても受光部３に入力される光のパワーを受光許容範囲に収めることができるようにしている。即ち、長波長信号光λｂを受信する光受信装置１においては、この図５（Ｂ）に示すように、光レベル調整部２での出力パワーを、受光部３での受光許容下限から所定のレベル（「システム設計値」）だけ高いレベルＰ２（＞Ｐ１）となるように設定して、伝送波長数の変動により利得が減少しても、受光部３で受光許容下限に収まるようにしているのである。換言すれば、経由するスパン数が増大して光パワー変動が累積することを想定しても、光受信装置１の受光部３では受光許容範囲に収めることができるようになる（図４（Ｂ）のＲ２２参照）。
【００３９】
これにより、伝送波長帯域中のいずれの波長の光を受信する光受信装置１においても、伝送路を伝搬する光の波長数に変動が生じたとしても受光部３に入力される光のパワーを受光許容範囲に収めることができるようになる。
なお、受光部３の受光許容上限から低くしたＰ１を定めるにあたっての所定レベル、および受光部３の受光許容下限から高くしたＰ２を定めるにあたっての所定レベルとしては、それぞれ、システム条件、伝送路種類および光アンプ特性等の要素に基づいて、システム設計値として予め見積もられる。システム条件には、伝送スパン数、信号帯域、伝送信号波長数、および伝送路入力レベル等を含めることができる。又、伝送路種類としては、伝送路有効断面積などを含めることができる。更に、光アンプ特性としては、光アンプの利得を制御する制御回路特性や、光アンプの利得波長偏差の特性、およびＳＨＢ特性を含めることができる。
【００４０】
このように、本発明の第１実施形態によれば、光レベル調整部２により、受信波長が長波長帯域に比べて短波長帯域のほうが相対的に受光部３へ出力する光のレベルが小さくなるようにすることができるので、波長数変動が生じたとしても受光部３に入力される光のパワーを受光許容範囲に収めることができ、正常に信号光受信を行なうことができる利点がある。
【００４１】
〔Ｂ〕第２実施形態の説明
図６は本発明の第２実施形態にかかる光受信装置１Ａを示す図である。この図６に示す光受信装置１Ａは、前述の第１実施形態におけるもの（符号１参照）と同様、図２又は図２２に示す光受信器１０１として適用することができるが、光レベル調整部２Ａの構成が異なるとともに、設定制御部４をそなえている点が異なっている。尚、受光部３については第１実施形態における光受信装置１と同様である。
【００４２】
設定制御部４は、受信波長が長波長帯域に比べて短波長帯域のほうが相対的に光レベル調整部２Ａから受光部３へ出力する光のレベルが小さくなるように、光レベル調整部２Ａを設定制御するものであり、受信波長情報取得部４ａ，光レベル決定部４ｂおよび設定信号出力部４ｃをそなえている。受信波長情報取得部４ａは、外部から通知される情報をもとに、受信する光の波長に関する情報を取得するものであって、例えば、波長多重光伝送システムにおけるＯＳＣ（Optical Supervisory Channel）監視信号を入力され、この監視信号から受信光波長情報を抽出し取得するようになっている。
【００４３】
また、光レベル決定部４ｂは、受信波長情報取得部４ａで取得した受信光波長情報に応じて、光レベル調整部２Ａから受光部３へ出力する光レベル、即ち光レベル調整部２Ａの出力光レベルを決定するものである。例えば、この光レベル決定部４ｂにおいては、光レベル調整部２Ａの出力光レベルについて、受信波長情報取得部４ａで取得した受信光波長情報に基づいて、当該光受信装置１Ａで受信する光の波長が、予め設定された所定の短波長帯域である第１帯域内にある場合には、この第１帯域よりも長波長側の帯域である第２帯域内にある場合よりも、受光部３へ出力する光のレベルが小さくなるように決定するようになっている。
【００４４】
特に、波長多重光伝送システムの波長帯域をＣバンドとした場合の第１帯域は、Ｃバンドの短波長帯域である１５３０ｎｍ〜１５３５ｎｍ程度の範囲とすることができ、第２帯域については、第１帯域よりも長波長帯域の１５３５ｎｍ〜１５６０ｎｍ程度の範囲とすることができる。この場合においては、例えば、図８に示すように、光レベル決定部４ｂにおいては、第２帯域の１５３５ｎｍ〜１５６０ｎｍ程度の範囲の波長を有する光については、光レベル調整部２Ａでの出力光パワーを光パワーＰ２とするように決定する一方、第１帯域の１５３０ｎｍ〜１５３５ｎｍ程度の範囲の波長を有する光については、光レベル調整部２Ａでの出力光パワーを、第２帯域内の光よりも光レベルが小さいＰ１と決定する。
【００４５】
なお、上述の光レベル決定部４ｂとしては、例えば受信波長に応じて設定すべき光レベル調整部２Ａの出力パワーについて記憶する記憶部をそなえるとともに記憶部の内容を取り出しうる記憶制御機能をそなえ、記憶制御機能で、受信波長情報取得部４ａで取得した受信光波長情報をキーとして、記憶部の内容を参照することにより取り出した出力光パワーを、光レベル調整部２Ａの出力光レベルとして決定することもできる。
【００４６】
さらに、設定信号出力部４ｃは、光レベル決定部４ｂで決定された光レベルを受光部３へ出力する光の設定レベルとする設定信号を光レベル調整部２Ａへ出力するものである。これにより、光レベル調整部２Ａにおいては、設定信号出力部４ｃからの設定信号を受けて、受信波長が長波長帯域に比べて短波長帯域のほうが相対的に受光部３へ出力する光のレベルが小さくなるように、光レベル調整量が設定されるようになる。
【００４７】
また、光レベル調整部２Ａは、上述の設定制御部４をなす設定信号出力部４ｃからの設定信号に基づいて可変に設定された減衰量で入力光を減衰させる光可変減衰器２ａと、光可変減衰器２ａへの入力光レベルおよび出力光レベルをモニタするモニタ部２ｂと、をそなえている。
第２実施形態におけるモニタ部２ｂは、光可変減衰器２ａにおける入出力光についてそれぞれ一部を分岐する分岐カプラ２ｂ−１，２ｂ−２をそなえるとともに、分岐カプラ２ｂ−１，２ｂ−２で分岐された光のパワーをそれぞれモニタするフォトダイオード（ＰＤ）２ｂ−３，２ｂ−４をそなえている。そして、フォトダイオード２ｂ−３，２ｂ−４での各光パワーのモニタ結果を、それぞれ、光可変減衰器２ａへの入力光レベルおよび出力光レベルのモニタ結果として光可変減衰器２ａに出力するようになっている。
【００４８】
そして、光可変減衰器２ａは、フォトダイオード２ｂ−３，２ｂ−４での各光パワーのモニタ結果を入力されて、このモニタ結果に基づき、入力光を、上述の設定信号出力部４ｃからの設定信号で設定されるレベルに減衰させて、受光部３へ出力するようになっている。このために、光可変減衰器２ａにおいては、例えば、入力光について可変減衰量で減衰しうる減衰素子とともに、減衰素子での減衰量について制御しうる減衰量制御機能をそなえ、減衰量制御機能においては、フォトダイオード２ｂ−３，２ｂ−４からのモニタ結果に基づき、分岐カプラ２ｂ−２を介して受光部３へ出力される光のパワーが設定信号出力部４ｃからの設定信号で設定される目標出力レベルとなるように減衰素子の減衰量を制御することができる。
【００４９】
なお、本発明によれば、第２実施形態におけるモニタ部２ｂのように光可変減衰器２ａの入出力光レベルの双方をモニタしなくともよく、入出力光レベルのいずれか一方をモニタすることとしても、モニタした光レベルをもとに、光可変減衰器２ａからの出力光を目標出力レベルとする制御を行なうことは可能である。
さらに、第２実施形態における光レベル調整部２Ａにおいては、光可変減衰器２ａをそなえているが、この光可変減衰器２ａについては、光受信装置１Ａが接続される光ネットワークの構成に応じて、適宜、利得制御機能を有する光アンプに換えて構成することとしてもよい。この場合においては、光アンプとしては例えば増幅媒体とともに増幅媒体の利得制御機能をそなえ、利得制御機能は、フォトダイオード２ｂ−３，２ｂ−４からのモニタ結果に基づき、分岐カプラ２ｂ−２を介して受光部３へ出力される光のパワーが設定信号出力部４ｃからの設定信号で設定される目標出力レベルとなるように増幅媒体の利得を制御する。
【００５０】
上述のごとく構成された光受信装置１Ａでは、図７のフローチャートに示すように、設定制御部４をなす受信波長情報取得部４ａで、例えばＯＳＣ監視信号を受けて（ステップＡ１）、この監視信号から、当該光受信装置１Ａが受信する光の波長に関する情報を取得する（ステップＡ２）。そして、光レベル決定部４ｂで、受信波長情報取得部４ａからの受信波長情報に基づき、受信波長が長波長帯域に比べて短波長帯域のほうが相対的に受光部３へ出力する光のレベルが小さくなるように、光レベル調整部２Ａでの光レベル調整量を決定する（ステップＡ３〜Ａ５）。
【００５１】
具体的には、伝送波長帯域としてＣバンド帯域（１５３０ｎｍ〜１５６０ｎｍ）を用いている場合においては、図８に示すように、受信波長が１５３５ｎｍ〜１５６０ｎｍ程度の範囲の第２帯域内にある場合には、光レベル調整部２Ａの出力光パワー（又は、受光部３への入力光パワー）をＰ２に決定する（ステップＡ３，ステップＡ３から「第２帯域」ルートを通じたステップＡ５）。一方、受信波長が１５３０ｎｍ〜１５３５ｎｍ程度の範囲の第１帯域内にある場合には、光レベル調整部２Ａの出力光パワーを第２帯域内にある場合（Ｐ２）よりも小さいＰ１に決定する（ステップＡ３，ステップＡ３から「第１帯域」ルートを通じたステップＡ４）。
【００５２】
そして、設定信号出力部４ｃで、光レベル調整部２Ａから出力される光のレベルを光レベル決定部４ｂで決定した光レベルとする設定信号を当該光レベル調整部２Ａへ出力する。これにより、光レベル調整部２Ａでは、設定信号出力部４ｃから入力される設定信号に基づいて、出力光レベルが光レベル決定部４ｂで決定した光レベルとなるように光レベルを調整する（ステップＡ４，Ａ５）。
【００５３】
このとき、光レベル調整部２Ａにより、受信波長が長波長帯域に比べて短波長帯域のほうが相対的に受光部３へ出力する光のレベルが小さくなるようにすることができるので、前述の第１実施形態の場合と同様に、波長数変動が生じたとしても受光部３に入力される光のパワーを受光許容範囲に収めることができるようになる。
特に、第２実施形態における光受信装置１Ａにおいては、入力される光の波長が未知である場合に、適用される波長多重光通信システムの監視信号を入力されて、この監視信号をもとに自身の光受信装置１Ａに入力される光の波長の情報を予め取得しておくことができるので、その光波長に応じて受光部３での入力光パワーを設定しておくことで、前述の第１実施形態の場合と同様に、入力される光波長以外の伝送光波長に変動が生じたとしても、受光部３に入力される光パワーを受光許容範囲に収めることができる。
【００５４】
このように、本発明の第２実施形態によれば、前述の第１実施形態の場合と同様の利点を得ることができるほか、設定制御部４および光レベル調整部２Ａにより、入力されることとなる光の波長を取得し、取得した光波長の情報に応じて受光部３に入力される光パワーを調整することができるので、光波長に依存した光パワーの変動要因を加味しても受光許容範囲に収まるように受光部３への入力パワーを調整することができる利点もある。
【００５５】
なお、第２実施形態においては、受信波長情報取得部４ａにおいては、受信波長に関する情報をＯＳＣ監視信号から抽出するようになっているが、本発明によれば、他のシステム情報伝達手段から受け取った情報から抽出するようにしてもよい。
また、第２実施形態においては、光レベル決定部４ｂが、受信波長が第１帯域か第２帯域にあるかに応じて２種類の光パワーＰ１，Ｐ２を決定するようにしているが、本発明によれば、少なくとも受信波長が長波長帯域に比べて短波長帯域のほうが相対的に受光部３へ出力する光のレベルが小さくなる態様であれば、他の態様で光パワーを決定することとしてもよい。
【００５６】
〔Ｃ〕第３実施形態の説明
図９は本発明の第３実施形態にかかる光受信装置１Ｂを示す図である。この図９に示す光受信装置１Ｂは、前述の第２実施形態におけるもの（符号１Ａ参照）に比して、設定制御部４Ａの構成が異なっているが、これ以外の構成は第２実施形態における光受信装置１Ａと基本的に同様である。尚、図９中、図６と同一の符号はほぼ同様の部分を示している。
【００５７】
ここで、設定制御部４Ａは、前述の第２実施形態における設定制御部４とは異なる受信波長情報取得部４ｄをそなえている。即ち、受信波長情報取得部４ｄは、光レベル調整部２Ａへ入力される光の波長を検出する波長検出部として構成されたものであり、例えば光レベル調整部２Ａへ入力される光の一部について光波長を検出する光スペクトルアナライザ等により構成することができる。又は、例えば文献（国際公開第２００４／０６８０９３号パンフレット）にて開示された手法で、光レベル調整部２Ａへ入力される光の波長を検出する構成をそなえることとしてもよい。
【００５８】
これにより、光レベル決定部４ｂにおいては、受信波長情報取得部４ｄにおいて検出した、光レベル調整部２Ａへ入力される光の波長に関する情報に基づいて、前述の第２実施形態の場合と同様の態様で、光レベル調整部２Ａの出力光レベルを決定することができるようになっており、設定信号出力部４ｃでは、決定した出力光レベルとなるように設定信号を光レベル調整部２Ａへ出力する。
【００５９】
上述のごとく構成された光受信装置１Ｂでは、図１０のフローチャートに示すように、設定制御部４Ａをなす受信波長情報取得部４ｄで、光レベル調整部２Ａへ入力される光の波長を検出し、検出結果を受信波長情報として光レベル決定部４ｂに出力する（ステップＢ１）。そして、光レベル決定部４ｂで、受信波長情報取得部４ａからの受信波長情報に基づき、受信波長が長波長帯域に比べて短波長帯域のほうが相対的に受光部３へ出力する光のレベルが小さくなるように、光レベル調整部２Ａでの光レベル調整量を決定する（ステップＡ３〜Ａ５）。
【００６０】
具体的には、伝送波長帯域としてＣバンド帯域（１５３０ｎｍ〜１５６０ｎｍ）を用いている場合においては、前述の図８に示すように、受信波長が１５３５ｎｍ〜１５６０ｎｍ程度の範囲の第２帯域内にある場合には、光レベル調整部２Ａの出力光パワー（又は、受光部３への入力光パワー）をＰ２に決定する（ステップＢ２，ステップＢ２から「第２帯域」ルートを通じたステップＢ４）。一方、受信波長が１５３０ｎｍ〜１５３５ｎｍ程度の範囲の第１帯域内にある場合には、光レベル調整部２Ａの出力光パワーを第２帯域内にある場合（Ｐ２）よりも小さいＰ１に決定する（ステップＢ２，ステップＢ２から「第１帯域」ルートを通じたステップＢ３）。
【００６１】
そして、設定信号出力部４ｃで、光レベル調整部２Ａから出力される光のレベルを光レベル決定部４ｂで決定した光レベルとする設定信号を当該光レベル調整部２Ａへ出力する。これにより、光レベル調整部２Ａでは、設定信号出力部４ｃから入力される設定信号に基づいて、出力光レベルが光レベル決定部４ｂで決定した光レベルとなるように光レベルを調整する（ステップＢ３，Ｂ４）。
【００６２】
このように、第３実施形態における光受信装置１Ｂによれば、自身の光受信装置１Ｂに入力される光の波長の情報を、当該入力される光から検出動作により取得しておくことができるので、前述の第２実施形態の場合と同様に、その光波長に応じて受光部３での入力光パワーを設定しておくことで、前述の第１実施形態の場合と同様に、入力される光波長以外の伝送光波長に変動が生じたとしても、受光部３に入力される光パワーを受光許容範囲に収めることができ、正常に信号光受信を行なうことができる利点がある。
【００６３】
なお、第３実施形態においても、光レベル決定部４ｂが、受信波長が第１帯域か第２帯域にあるかに応じて２種類の光パワーＰ１，Ｐ２を決定するようにしているが、本発明によれば、少なくとも受信波長が長波長帯域に比べて短波長帯域のほうが相対的に受光部３へ出力する光のレベルが小さくなる態様であれば、他の態様で光パワーを決定することとしてもよい。
【００６４】
〔Ｄ〕第４実施形態の説明
図１１は本発明の第４実施形態にかかる光受信装置１Ｃを示す図である。この図１１に示す光受信装置１Ｃは、前述の第２実施形態におけるもの（符号１Ａ参照）に比して、設定制御部４Ｂの構成が異なっているが、これ以外の構成は第２実施形態における光受信装置１Ａと基本的に同様である。尚、図１１中、図６と同一の符号はほぼ同様の部分を示している。
【００６５】
ここで、設定制御部４Ｂは、前述の第２実施形態における設定制御部４とは異なる光レベル決定部４ｅをそなえている。即ち、光レベル決定部４ｅは、受信波長情報取得部４ａで取得した受信する光の波長に関する情報をパラメータとした演算処理により、受光部３へ出力する光のレベルを導出するレベル導出部として構成されたものである。この場合においては、レベル導出部としての光レベル決定部４ｅは、受信波長情報取得部４ａで取得した受信波長情報に基づいて、受光部３へ出力する光レベルが、受信する光の波長について短波長側から線形的に大きくなるように決定されるような演算処理を行なうことができる。
【００６６】
なお、設定信号出力部４ｃは、光レベル決定部４ｅで決定した出力光レベルとなるように設定信号を光レベル調整部２Ａへ出力する。
上述のごとく構成された光受信装置１Ｃでは、図１２のフローチャートに示すように、設定制御部４Ｂをなす受信波長情報取得部４ａで、例えば外部から入力されるＯＳＣ監視信号光（ステップＣ１）から、受信光波長の情報を抽出し、これを光レベル決定部４ｅに出力する（ステップＣ２）。
【００６７】
そして、光レベル決定部４ｂで、受信波長情報取得部４ａからの受信波長情報をパラメータとした演算処理により、受信する光の波長について短波長側から線形的に大きくなるような光レベルを導出し決定する（ステップＣ３）。ついで、設定信号出力部４ｃは、光レベル決定部４ｅで決定した出力光レベルとなるように設定信号を光レベル調整部２Ａへ出力する。これにより、光レベル調整部２Ａでは、設定信号出力部４ｃから入力される設定信号に基づいて、出力光レベルが光レベル決定部４ｂで決定した光レベルとなるように光レベルを調整する（ステップＣ４）。
【００６８】
このように、第４実施形態における光受信装置１Ｃにおいても、光レベル決定部４ｅにより、受信波長情報取得部４ａで取得した情報をパラメータとした演算処理により受光部３へ出力する光のレベルを導出して、光レベル調整部２Ａは、出力光パワーを導出した光パワーに設定することができるので、前述した各実施形態の場合と同様の利点を得ることができる。
【００６９】
〔Ｅ〕その他
上述した実施形態にかかわらず、請求項記載の本発明の趣旨を逸脱しない範囲において種々変形して実施することが可能である。
たとえば、上述の各実施形態においては、単一波長の光を受信する光受信装置としての構成に着目したが、本発明によれば、たとえば図２に示す複数の光受信器１０１を一体とした光受信装置を構成することも可能である。
【００７０】
この場合においては、図２における複数の光受信器１０１をなす光レベル調整部（図１，６，９，１１の符号２，２Ａ）は、波長分離された互いに異なる複数の入力光についてのレベルを、波長分離された波長単位にそれぞれ調整して出力する複数の波長単位光レベル調整部を構成し、同様に、複数の光受信器１０１をなす受光部（（図１，６，９，１１の符号３）は、複数の波長単位光レベル調整部２，２Ａのそれぞれから出力された光をそれぞれ受光する複数の波長単位受光部として構成される。そして、各波長単位光レベル調整部２，２Ａは、受信波長が長波長帯域に比べて短波長帯域のほうが相対的に対応する波長単位受光部３へ出力する光のレベルを小さくすべく、光レベル調整量が設定されるようになる。
【００７１】
また、上述した実施形態の開示により、当業者であれば本発明の装置を製造することは可能である。
〔Ｆ〕付記
（付記１）
波長多重光伝送システムにおける波長分離された光を受信する光受信装置であって、
入力される光のレベルを調整して出力する光レベル調整部と、
該光レベル調整部から出力された光を受光する受光部と、をそなえ、
かつ、受信波長が長波長帯域に比べて短波長帯域のほうが相対的に該受光部へ出力する光のレベルが小さくなるように、該光レベル調整部での光レベル調整量が設定されたことを特徴とする、光受信装置。
【００７２】
（付記２）
該波長多重光伝送システムには、波長多重光の波長ごとの分岐／挿入を行なう光分岐挿入ノードがそなえられ、該光受信装置は、前記光分岐挿入ノードで分岐された波長の光を受信するように構成されたことを特徴とする、付記１記載の光受信装置。
（付記３）
前記受信波長が長波長帯域に比べて短波長帯域のほうが相対的に該光レベル調整部から該受光部へ出力する光のレベルが小さくなるように、該光レベル調整部を設定制御する設定制御部をそなえたことを特徴とする、付記１記載の光受信装置。
【００７３】
（付記４）
該設定制御部は、
受信する光の波長に関する情報を取得する受信波長情報取得部と、
該受信波長情報取得部で取得した前記情報に応じて、該光レベル調整部から該受光部へ出力する光レベルを決定する光レベル決定部と、
該光レベル決定部で決定された前記光レベルを該受光部へ出力する光の設定レベルとする設定信号を該光レベル調整部へ出力する設定信号出力部と、をそなえたことを特徴とする、付記３記載の光受信装置。
【００７４】
（付記５）
該受信波長情報取得部は、前記波長多重光伝送システムにおける監視信号を入力され、該監視信号に基づいて、前記情報を取得することを特徴とする、付記４記載の光受信装置。
（付記６）
該受信波長情報取得部は、該光レベル調整部へ入力される光の波長を検出する波長検出部として構成されたことを特徴とする、付記４記載の光受信装置。
【００７５】
（付記７）
該光レベル決定部は、該受信波長情報取得部で取得した前記受信する光の波長に関する情報をパラメータとした演算処理により該受光部へ出力する光のレベルを導出するレベル導出部として構成されたことを特徴とする、付記４記載の光受信装置。
（付記８）
該光レベル決定部は、該受信波長情報取得部で取得した前記情報に基づいて、前記受信する光の波長が、予め設定された所定の短波長帯域である第１帯域内にある場合には、前記短波長帯域よりも長波長側の帯域である第２帯域内にある場合よりも、該受光部へ出力する光のレベルが小さくなるように決定することを特徴とする、付記４記載の光受信装置。
【００７６】
（付記９）
該光レベル決定部は、該受信波長情報取得部で取得した前記情報に基づいて、該受光部へ出力する光レベルが、前記受信する光の波長について短波長側から線形的に大きくなるように決定することを特徴とする、付記４記載の光受信装置。
（付記１０）
前記波長多重光伝送システムの波長帯域をＣバンドとした場合の前記第１帯域は、前記Ｃバンドの短波長帯域である１５３０ｎｍ〜１５３５ｎｍであることを特徴とする、付記８記載の光受信装置。
【００７７】
（付記１１）
該光レベル調整部は、該設定信号出力部からの前記設定信号に基づいて可変に設定された減衰量で入力光を減衰させる光可変減衰器と、該光可変減衰器への入力光レベル又は出力光レベルをモニタするモニタ部と、をそなえ、
該光可変減衰器は、該モニタ部でのモニタ結果に基づいて、前記入力光を前記設定レベルに減衰させて、該受光部へ出力することを特徴とする、付記４記載の光受信装置。
【００７８】
（付記１２）
該光レベル調整部は、可変に設定された利得で入力光を増幅させる光アンプと、該光アンプへの入力光レベル又は出力光レベルをモニタするモニタ部と、をそなえ、
該光アンプは、該モニタ部でのモニタ結果に基づいて、前記入力光を前記設定レベルに増幅させて、該受光部へ出力することを特徴とする、付記４記載の光受信装置。
【００７９】
（付記１３）
該光レベル調整部が、波長分離された互いに異なる複数の入力光についてのレベルを、波長分離された波長単位にそれぞれ調整して出力する複数の波長単位光レベル調整部をそなえて構成されるとともに、
該受光部が、該複数の波長単位光レベル調整部のそれぞれから出力された光をそれぞれ受光する複数の波長単位受光部として構成され、
かつ、受信波長が長波長帯域に比べて短波長帯域のほうが相対的に対応する該波長単位受光部へ出力する光のレベルを小さくすべく、該複数の波長単位光レベル調整部での光レベル調整量が設定されたことを特徴とする、付記１記載の光受信装置。
【００８０】
（付記１４）
波長多重光伝送システムにおける波長分離された光を入力され、前記入力された光のレベルを調整して出力する光レベル調整部と、該光レベル調整部から出力された光を受光する受光部と、をそなえた光受信装置の光レベル調整量設定方法であって、
受信する光の波長に関する情報を取得し、
前記取得した情報に基づき、受信波長が長波長帯域に比べて短波長帯域のほうが相対的に該受光部へ出力する光のレベルが小さくなるように、該光レベル調整部での光レベル調整量を設定することを特徴とする、光受信装置の光レベル調整量設定方法。
【図面の簡単な説明】
【００８１】
【図１】本発明の第１実施形態にかかる光受信装置を示す図である。
【図２】本発明の第１実施形態にかかる光受信装置が適用される受信ノードの構成例を示す図である。
【図３】波長条件に応じたパワー変動特性について説明する図である。
【図４】（Ａ），（Ｂ）はともに第１実施形態の作用効果について説明するための図である。
【図５】（Ａ），（Ｂ）はともに第１実施形態の光レベル調整部の機能について説明するための図である。
【図６】本発明の第２実施形態にかかる光受信装置を示す図である。
【図７】本発明の第２実施形態にかかる光受信装置の動作を説明するためのフローチャートである。
【図８】本発明の第２実施形態にかかる光受信装置の光レベル調整部の機能について説明するための図である。
【図９】本発明の第３実施形態にかかる光受信装置を示す図である。
【図１０】本発明の第３実施形態にかかる光受信装置の動作を説明するためのフローチャートである。
【図１１】本発明の第４実施形態にかかる光受信装置を示す図である。
【図１２】本発明の第４実施形態にかかる光受信装置の動作を説明するためのフローチャートである。
【図１３】メトロコアシステムの構成例を示すブロック図である。
【図１４】従来のＡＧＣアンプの構成例を示すブロック図である。
【図１５】（Ａ）及び（Ｂ）は図１３示すシステムにおける障害発生時の動作を説明するための図である。
【図１６】（Ａ）及び（Ｂ）は図１３に示すシステムにおける障害発生に伴う波長数変動時の出力光パワー変動を説明するための図である。
【図１７】ＳＨＢによる波長依存性の利得変動量の一例を示す図である。
【図１８】（Ａ）は波長に対するＳＨＢに起因する利得変化量の一例、（Ｂ）は波長に対するＳＲＳに起因する利得変化量の一例をそれぞれ示す図である。
【図１９】ラマン増幅帯域の一例を示す図である。
【図２０】信号波長間ラマン効果を説明するための図である。
【図２１】（Ａ），（Ｂ）はともに従来技術の課題を説明するための図である。
【図２２】信号受信端を説明するためのブロック図である。
【符号の説明】
【００８２】
１，１Ａ〜１Ｃ    光受信装置
２，２Ａ    光レベル調整部
２ａ    光可変減衰器
２ｂ−１，２ｂ−２    分岐カプラ
２ｂ−３，２ｂ−４    ＰＤ
３    受光部
４，４Ａ，４Ｂ    設定制御部
４ａ，４ｄ    受信波長情報取得部
４ｂ，４ｅ    光レベル決定部
４ｃ    設定信号出力部
１１    分波部
１００，１００Ａ，１００Ｂ    ＯＡＤＭノード
１０１    光受信器
１０２    光送信器
１１０    受信ノード
２００，３００    光アンプ
４００    伝送路
５０１，５０２    光分岐手段
６０１，６０２    ＰＤ
７００    利得一定制御部
【図１】
2008236026.tif 000003
【図２】
2008236026.tif 000004
【図３】
2008236026.tif 000005
【図４】
2008236026.tif 000006
【図５】
2008236026.tif 000007
【図６】
2008236026.tif 000008
【図７】
2008236026.tif 000009
【図８】
2008236026.tif 000010
【図９】
2008236026.tif 000011
【図１０】
2008236026.tif 000012
【図１１】
2008236026.tif 000013
【図１２】
2008236026.tif 000014
【図１３】
2008236026.tif 000015
【図１４】
2008236026.tif 000016
【図１５】
2008236026.tif 000017
【図１６】
2008236026.tif 000018
【図１７】
2008236026.tif 000019
【図１８】
2008236026.tif 000020
【図１９】
2008236026.tif 000021
【図２０】
2008236026.tif 000022
【図２１】
2008236026.tif 000023
【図２２】
2008236026.tif 000024